(57)【要約】      （修正有）【課題】航空機での移動のような長時間に渡る環境下での使用であっても、配合した機能性成分が安定的かつ充分にその機能を発揮し、かつ、化粧崩れや皮膚との接触部分に対する不具合が生じない付加機能付安眠用アイシェードゲルマスクを提供する。【解決手段】紛体の炭とアクリル系高分子を特定の割合で含有する特定のゲル基剤と、その基剤に貼り合わせた特定の支持体の組み合わせ、及び着用時に鼻筋周辺にあたる部分に特定の仕様のスリットを設けた安眠用アイシェードゲルマスクを構成する。【選択図】図３
0003182795.tif 000002
【実用新案登録請求の範囲】
【請求項１】
以下の（ａ）から（c）の全てを満たす、低気圧かつ低湿度の環境下で使用する安眠用アイシェードゲルマスク。（治療または美容用途であるものを除く）
（ａ）少なくともフィルム状支持体及びゲル基剤とで構成され、その何れか一方以上が着色されていること。
（b）ゲル基剤が、カーボンブラックとアクリル系高分子を含有する厚さ１ｍｍ以上３ｍｍ以内の水系ゲルであること。
（c）安眠用香料と美容成分を含有すること。
【請求項２】
さらに使用者の鼻周辺に適用する部位に縦方向に設けられたスリットを有し、当該スリットの角度が５度以内であることを特徴とする請求項１に記載のアイシェードゲルマスク。
【請求項３】
当該支持体に文字または模様が印刷されていることを特徴とする請求項１または２のいずれかに記載の安眠用アイシェードゲルマスク。
【請求項４】
低気圧かつ低湿度の環境が、航空機内の客室または操縦室であることを特徴とする請求項１から３のいずれかに記載の安眠用アイシェードゲルマスク。
【考案の詳細な説明】
【技術分野】
【０００１】
本考案は、特に長時間に渡る過酷な環境（低気圧低湿度）下において睡眠時に使用する高機能アイシェードゲルマスクに関するものである。
【背景技術】
【０００２】
従来より、健やかな睡眠の提供を目的とした安眠マスクが上市または提案されている（例えば、先行技術文献１、２、３）。また、目尻の皺の治療、緩和または予防といったスキンケアを目的とした機能性成分を含有させた美容シートマスク（目元に適用することに特化した形状のものを含む）が種々提案されている（例えば、先行技術文献４乃至９）。
【０００３】
フィット感や使用感、形状等の様々な技術的課題の解決方法として、基剤にポリアクリル酸ナトリウム、水酸化アルミニウムゲル、無水珪酸、ポリウレタンエラストマー、寒天、ローカストビーンガム、キサンタンガム、シリコンゴムなどに多価アルコールを含有させたり、基剤の支持体として、ポリオレフィン系長繊維不織布やＰＥＴとその他の樹脂からなる不織布を使用したり、これらの接着剤として、アルキルエステル、メタクリル酸アルキルエステル、シリコン樹脂などを使用することが提案されている。（さらに、先行技術文献１０、１１）
【０００４】
しかし、いわゆる日常用品としての安眠マスクでは、使用時の化粧崩れや皮膚との接触部のかぶれ等の不具合は生じず、睡眠導入及び安眠効果は期待できるものの、これら以外の効果、例えばスキンケア効果について充分提供することができないという欠点を有し、一方でシートタイプの外用剤等では、睡眠中に使用することから無意識のうちに除去したり、自然にズレや剥がれが生じたりすることによって、薬剤が着衣等に付着して汚れる、長時間連続使用することによる化粧崩れや皮膚の乾燥・かぶれ等、種々の不具合が生じるなどの欠点があった。
【０００５】
とりわけ、長時間に渡る過酷な環境下、例えば、飛行機等の乗り物での移動時や内陸高地などの乾燥（低湿度）、低気圧下においては、基剤または素材が有する、機能性香料成分、水分、アルコールなどの揮発性成分が通常環境下と異なった挙動を示し、配合または構成バランスが崩れて安定的に効果が発揮されず、また、化粧崩れや皮膚のかぶれ等が生じるという欠点があるにもかかわらず、その対応は充分に検討されていなかった。
【０００６】
また、先行技術文献１２には、容器に充填した含水性基剤とその支持体からなるシート状貼付剤において、基剤の皮膚との接触面全体にスリットを設け、基剤に含まれる水分または揮発性有効成分が気化して皮膚に浸透する技術が開示されているが、位置決めしたスリットを部分的に設けることにより、鼻筋部領域の凹凸面にシートが無理なくフィットし適度な密着性を実現する点についての開示はない。
【０００７】
先行技術文献１３には、基剤とその支持体からなるシート状貼付剤において、基剤成分の光安定性、酸化防止、基剤変色のマスキングを目的として、支持体の表面に遮光性インクを用いてベタ印刷やパターン印刷を施し、遮光性を付与する技術が開示されているが、遮光性を一方的に高めることに止まっており、適度に透光性とバランス調整する点についての開示はない。
【０００８】
ところで、これらの先行技術文献で開示されている技術または当該技術を使用して製造された製品の使用条件については、まったく記載及び示唆がなく、特に使用環境については、必然的にいわゆる日常生活環境を前提としている。
【０００９】
これは、本考案及び前述の先行技術が属する分野において、日常生活環境下の使用であれば、当該技術が奏する機能・効果に影響を及ぼさないか、無視できる範囲に止まるとの認識に帰するものであって、換言すると日常生活環境と異なる過酷な環境、例えば、航空機内などの低湿度低気圧下での使用は考慮されておらず、これらを考慮すべき合理的な動機づけも存在しない。
【００１０】
なお、非特許文献１及び２には、航空機内環境について、標高２０００ｍ程度の気圧（約０．８気圧）、湿度２０％以下、酸素分圧も地上の８０％程度であるとの一般情報についての記載がある。
【００１１】
以上の通り、使用環境の技術的影響及び使用環境に適した仕様という技術コンセプト、具体的には、航空機内などの低湿度低気圧下での仕様構成、及び安眠（睡眠導入）を目的とした用途における、完全遮光性ではなく、必要最小限の遮光性にとどめる（透光性の保持）という保安上の要請からの技術的課題については、その具体的な実現手段の記載が無いだけにとどまらず、その示唆すらなく、そのための合理的な動機づけも存在しない。
【００１２】
要するに過酷な環境下で使用することを前提としたゲル基剤とフィルム状シートからなる安眠用途のアイシェードゲルマスクについての直接的な先行技術は存在しない。すなわち、治療または美容用途に特化した関連技術は存在するものの、安眠用途への使用、特に安眠用香料を使用する場合には、長時間連続使用に伴う皮膚感作など安全性面での問題がある。
【先行技術文献】
【特許文献】
【００１３】
【特許文献１】実開昭４９−９３６９６号公報
【特許文献２】実開昭６３−１８６４２１号公報
【特許文献３】実用新案登録第３０７５０５７号公報
【特許文献４】特開２００１−３３５４２８号公報
【特許文献５】特開２０１０−１６３３８６号公報
【特許文献６】特開２０１１−１７３８５１号公報
【特許文献７】実用新案登録第３１１７３５７号公報
【特許文献８】特開２０１２−９２０２２号公報
【特許文献９】実用新案登録第３１０４４００号公報
【特許文献１０】特開２０００−１２８７３２号公報
【特許文献１１】特開２０００−１９１４９７号公報
【特許文献１２】特開２００９−１１４１５１号公報
【特許文献１３】特開２０１０−２０２５３８号公報
【非特許文献】
【００１４】
【非特許文献１】化粧料分野における公知技術集  日本化粧品工業連合会編  ２０１２年度
【非特許文献２】日本航空ウェブサイト「航空機内の環境について」（http://www.jal.co.jp/entertainment/cockpit/captain69.html）
【非特許文献３】日本航空ウェブサイト「空気の濃さ」（http://www.jal.co.jp/entertainment/cockpit/captain69.html）
【考案の概要】
【考案が解決しようとする課題】
【００１５】
長期間に渡る過酷な環境（低気圧低湿度）下における使用時に、配合した機能性成分が安定的かつ充分にその機能を発揮することができ、かつ、化粧崩れや皮膚との接触部分に対する不具合が生じない安眠用アイシェードゲルマスクの提供。
【００１６】
このような背景の中で、長期間に渡る過酷な環境（低気圧低湿度）下において睡眠時に使用する高機能アイシェードゲルマスクを考案したものであって、具体的には、以下の（ａ）から（c）の要件を満たすものである。
（ａ）少なくともフィルム状支持体及びゲル基剤とで構成され、その何れか一方以上が着色されていること。
（b）ゲル基剤が、カーボンブラックとアクリル系高分子を含有する厚さ１ｍｍ以上３ｍｍ以内の水系ゲルであること。
（c）安眠用香料と美容成分を含有すること。
【考案の効果】
【００１７】
これらの要件を満たすアイシェードゲルマスクは、長時間に渡る過酷な環境下、例えば、飛行機等の乗り物での移動時や内陸高地などの乾燥（低湿度）、低気圧下においても、
(イ)安眠（睡眠導入／維持）効果と美容効果の相乗作用が発揮できる。
(ロ)剥がれ難く、着衣等が汚れない。
(ハ)化粧崩れしにくい。
という効果を有する。
【図面の簡単な説明】
【００１８】
【図１】図１は、アイシェードゲルマスクの実施方法の一例におけるゲル薬剤の充填容器の図面である。（実施例１用）
【図２】図２は、アイシェードゲルマスクのその他の実施方法の一例におけるゲル薬剤の充填容器の図面である。（実施例２用）
【図３】図３は、ゲル薬剤を充填容器に充填後、フィルム状支持体を貼付したもので、当該容器から取り出す前の本考案にかかわるアイシェードゲルマスクである。（上から実施例１及び２）
【考案を実施するための形態】
【００１９】
本考案において、フィルム状支持体は、ポリエチレンフィルムや塩化ビニルフィルム等の柔軟性の高いプラスティックフィルムが望ましく、ポリウレタン、ポリエステル、ポリアミド、ポリオレフィン、ポリスチレン、ポリ塩化ビニル等、或いは天然ゴム、合成ゴム等が挙げられるが、好ましくは、ポリウレタン、ポリエステル、ポリオレフィン、ポリアミド、より好ましくは、ポリエステル、ポリウレタンが挙げられる。これらフィルム支持体については、３０〜５０μmであることが望ましい。
【００２０】
ゲル基剤は、ポリアクリル酸ナトリウム、ポリアクリル酸、などの高分子、及び多価金属塩が好適に含まれる。この多価金属塩としては、例えば、アルミニウム塩、マグネシウム塩、カルシウム塩等が挙げられる。これら高分子の含有量としては、３．０〜８．０重量％、多価金属塩については、０．０５〜２．０重量％の範囲であることが望ましい。その他の機能性成分、例えば、防腐剤、酸化防止剤、キレート剤などの成分を必要に応じ、本考案の障害にならない範囲で適宜選択し配合することも差支えない。
【００２１】
炭成分は、日本薬局方に収載されている薬用炭が最も好ましいものとして例示できるが、同等のものであっても差支えない。薬用炭を用いる場合、０．０５〜３重量％の範囲でゲル基剤に添加することが望ましい。
【００２２】
安眠用香料は、ラベンダー、カモミール、マンダリン、ベルガモット、マジョラム、ローズ、メース、ジンジャー、タイム、ナツメッグ、クラリセージ、シンナモン、プチグレン、カンファー、ネロリ、セージ、シプレス、ミルテ、バレリアンウォームウッド、ゼラニウム、ヤローホリーホック、オレンジブロッサム、ミント等の単品精油を含むものが好ましいが、一般的に沈静・安眠イメージを有するラベンダー、カモミールが特に好ましい。安眠用香料の含有量については、０．０１〜０．０５重量の範囲が望ましい。
【００２３】
美容成分は、保湿成分、エモリエント成分、肌荒れ改善成分、肌活性成分、美白成分、肌引締成分が挙げられるが、低気圧低湿度環境、長時間連続使用の観点から、保湿成分、エモリエント成分、肌荒れ改善成分が特に好ましい。
【００２４】
保湿成分は、ヒアルロン酸、アセチルヒアルロン酸、ローヤルゼリーエキス、セラミド、セリン、ユリエキス、ローズ水、ローズマリーエキス、ハトムギエキス、ハチミツ、甘草フラボノイド、エイジツエキス、シイタケエキス、ホエイ、パルミトイルオリゴペプチド、コラーゲン、グルコシルトレハロース、ガリカバラエキス、シャクヤクエキスが例示できる。
【００２５】
エモリエント成分は、スクワラン、スクワレン、アーモンド油、アンズ核油、馬油、ブドウ種子油、オリーブ油、オレンジ油、コメヌカスフィンゴ糖脂質、フィトスフィンゴシン、ブドウ種子油、コメヌカ油、シアー脂、月見草油、ホホバ油、マカデミアナッツ油、ユーカリ油、ローズヒップ油、グレープフルーツ果皮油、ヒマワリ種子油が例示できる。
肌荒れ改善成分は、アラントイン、アルニカエキス、オウゴンエキス、甘草エキス、レチノール、グリチルリチン酸ジカリウム、シャクヤクエキス、セージ葉エキス、ビワ葉エキス、ローズマリーエキスが例示できる。
【００２６】
肌活性成分は、アスタキサンチン、イチョウ葉エキス、ウコンエキス、エーデルワイスエキス、オタネニンジンエキス、オリザノール、オリーブ葉エキス、カルニチン、カロチン、クロレラエキス、コメヌカエキス、ショウガ根エキス、ダイズエキス、チンピエキス、トウキエキス、トウニンエキス、ドグダミエキス、トコフェロール、トレオニン、ハッカ油、ヒノキチオール、プロリン、メリッサエキス、メリロートエキス、メントール、ユーカリエキス、ユビキノン、ヨクイニンエキス、ラベンダーエキス、レイシエキスが例示できる。
【００２７】
美白成分は、アルブチン、アセロラエキス、ビタミンＣ誘導体、ユキノシタエキス、プラセンタエキス、ハイドロキノン、カミツレエキス、ソウハクヒエキス、トコトリエノール、雪見草エキスが例示できる。
【００２８】
肌引締成分は、クエン酸、紅茶エキス、緑茶エキス、ウーロン茶エキス、シラカバエキス、ハマメリスエキス、マロニエエキス、レモンエキス、カミツレエキスが例示できる。
【実施例１】
【００２９】
図１は、アイシェードゲルマスクの実施方法の一例におけるゲル基剤の充填容器の図面であり、この容器にゲル基剤を充填して、フィルム状支持体を貼付して本考案にかかわるアイシェードゲルマスクを製造する。
【００３０】
ゲル基剤は、慣用されている方法で製造して差支えなく、配合する基剤成分に基づいて、それに適した方法を選択すればよい。
【００３１】
ゲル基剤として以下の処方で調整し、その効果を検討した。
ポリアクリル酸ナトリウム           
５．００重量％
炭                                                  
０．１８重量％
グリセリ ン                                    
２０．００重量％
水酸化アルミニウム                          
１．００重量％
安眠香料（ラベンダーオイル）              
０．０２重量％
イソステアリン酸グリセレス−２５         
０．５０重量％
ＥＤＴＡ−２ナトリウム                          ０．５０重量％
水                                                       
残  量
【００３２】
フィルム状支持体は、厚さ４０μmの絆創膏などに用いられる一般的なポリエチレンフィルム（大石産業社製）を使用した。
任意の模様を遮光性インク印刷し、その印刷面の面積は、片面全体の約１０％だった。
【００３３】
分光分析機（島津製作所UV-1800）を用いて、透過度を計測した。スリット幅１で波長３５０ｎｍから８００ｎｍの範囲でスウィープし、３８０ｎｍで０．１。７５０ｎｍで０．６だった。
【００３４】
0003182795.tif 000003
【００３５】
一般のアイシェードゲルマスクのように全波長領域において均等に遮光するものではなく、睡眠導入の障害になりやすい短波長領域において大きく遮蔽し、かつ、長波長領域において透過度が大きく、熱発散の阻害になりにくく、蒸れによる化粧崩れも生じにくい特性を持つことがわかる。
【実施例２】
【００３６】
図２は、アイシェードゲルマスクのその他の実施方法の一例におけるゲル基剤の充填容器の図面であり、この容器にゲル基剤を充填して、フィルム状支持体を貼付して本考案にかかわるアイシェードゲルマスクを製造する。
【００３７】
ゲル基剤は、安眠香料としてカモミールオイルを用い、フィルム状支持体の印刷占有面積が約7％であること以外は、実施例１と同様とした。
【００３８】
比較対象のために、実施例１からスリット部を除いた比較例１と実施例２のゲル基剤の厚みを３倍の６ｍｍに調整した比較例２とを調整した。
【００３９】
社内外のモニターで構成した各男性３名女性４名で構成されるＡ，Ｂの２群に対し、実施例２つと比較例の１または２のいずれか１つの計３点をセットにして配布し、航空機乗機時の安眠効果、化粧崩れ、の２点については、効果があった、効果なかった、不明の３点絶対評価法の評価、及び剥がれの有無と剥がれがあった場合の着衣への付着の有無についてアンケートを実施した。
【００４０】
その結果を以下の表に取りまとめた。
【表１】
0003182795.tif 000004
【００４１】
以上の通り、実施品１、２のいずれについても、安眠効果に秀で、化粧崩れし難いことがわかる。さらに剥がれにくく、剥がれがあったとしても着衣への付着が生じないことが確認された。
【産業上の利用可能性】
【００４２】
例えば、飛行機の長距離便を利用する場合に、安心して使用でき、かつ安定的なスキンケア効果も有する安眠アイシェードゲルマスクを提供することができる。
【図１】
0003182795.tif 000005
【図２】
0003182795.tif 000006
【図３】
0003182795.tif 000007